(57)【要約】【課題】防水機能による防水性の適否を明確に判定できる構造を備えた携帯電子機器を提供する。【解決手段】第１面２１及び第２面２２を有する筐体２０と、前記筐体２０の第１面２１側に配置された給電部材４００と、前記筐体２０に装着されると共に、前記給電部材４００と電気的に接続される接点ピン３００と、前記筐体２０の前記第２面２２側に装着されると共に、前記接点ピン３００と電気的に接続される被給電部材１５と、を備え、前記筐体２０は、前記第１面２１側と前記第２面２２側とに亘って前記筐体２０を貫通し、前記接点ピン３００が配置される貫通穴２０１と、前記筐体２０の前記第１面２１から前記第２面２２に至るまで延びると共に、前記貫通穴２０１の内周面から貫通穴２０１の半径方向外方へ延びるスリット２０２と、を有する。【選択図】図８
2014082641.tif 000002
【特許請求の範囲】
【請求項１】
第１面及び第２面を有する筐体と、
前記筐体の第１面側に配置された給電部材と、
前記筐体に装着されると共に、前記給電部材と電気的に接続される接点ピンと、
前記筐体の前記第２面側に装着されると共に、前記接点ピンと電気的に接続される被給電部材と、を備え、
前記筐体は、前記第１面側と前記第２面側とに亘って前記筐体を貫通し、前記接点ピンが配置される貫通穴と、前記筐体の前記第１面から前記第２面に至るまで延びると共に、前記貫通穴の内周面から貫通穴の半径方向外方へ延びるスリットと、を有する、
携帯電子機器。
【請求項２】
前記スリットは、複数形成されている、
請求項１に記載の携帯電子機器。
【請求項３】
前記スリットは、前記貫通穴の周方向に等間隔で形成されている、
請求項２に記載の携帯電子機器。
【発明の詳細な説明】
【技術分野】
【０００１】
本発明は、防水性を有する携帯電子機器に関する。
【背景技術】
【０００２】
携帯端末装置等の携帯電子機器において、防水性を有するタイプが存在する。例えば、回路を備える基板両面を防水用の両面テープによってケースに貼り付け、ケースと基板との間から浸水することを防ぐ技術が知られている（特許文献１参照）。
【先行技術文献】
【特許文献】
【０００３】
【特許文献１】特開２００１−１１１３２２号公報
【発明の概要】
【発明が解決しようとする課題】
【０００４】
しかしながら、上記の構成においては、両面テープ等による防水機能を接点用の圧入されたピンを備える部分に適用した場合に、防水機能による防水性が不十分な場合であっても、圧入されたピンによって意図しない防水性が実現される可能性がある。この場合、製品の検査時において、防水機能による防水性の適否を明確に判定することが困難となる。
【０００５】
本発明は、防水機能による防水性の適否を明確に判定できる構造を備えた携帯電子機器を提供することを目的とする。
【課題を解決するための手段】
【０００６】
本発明に係る携帯電子機器は、第１面及び第２面を有する筐体と、前記筐体の第１面側に配置された給電部材と、前記筐体に装着されると共に、前記給電部材と電気的に接続される接点ピンと、前記筐体の前記第２面側に装着されると共に、前記接点ピンと電気的に接続される被給電部材と、を備え、前記筐体は、前記第１面側と前記第２面側とに亘って前記筐体を貫通し、前記接点ピンが配置される貫通穴と、前記筐体の前記第１面から前記第２面に至るまで延びると共に、前記貫通穴の内周面から貫通穴の半径方向外方へ延びるスリットと、を有する。
【０００７】
また、本発明に係る携帯電子機器において、前記スリットは、複数形成されている構成としてもよい。
【０００８】
また、本発明に係る携帯電子機器において、前記スリットは、前記貫通穴の周方向に等間隔で形成されている構成としてもよい。
【発明の効果】
【０００９】
本発明によれば、防水機能による防水性の適否を明確に判定できる構造を備えた携帯電子機器を提供することができる。
【図面の簡単な説明】
【００１０】
【図１】本実施形態における携帯端末装置１の外観を示す正面図である。
【図２】本実施形態における携帯端末装置１の外観を示す背面図である。
【図３】本実施形態における携帯端末装置１の外観を示す底面図である。
【図４】第２筐体２Ｂを取り外した状態を示す背面図である。
【図５】第１筐体２Ａを取り外した状態を示す正面図である。
【図６】ピン挿入部２００及びその周辺に、接点ピン３００、防水両面テープＳ及びループアンテナ用基板１５が設置される状態を示す分解斜視図である。
【図７】ピン挿入部２００に接点ピン３００が設置された状態を示す図である。
【図８】中間筐体２０におけるピン挿入部２００の構造を示す部分拡大図である。
【図９】ピン挿入部２００に接点ピン３００が挿入される途中の状態を示す概略断面図である。
【図１０】ピン挿入部２００に接点ピン３００が設置され、ループアンテナ用基板１５が貼り付けられた状態を示す概略断面図である。
【発明を実施するための形態】
【００１１】
以下、本発明に係る携帯電子機器を携帯端末装置に適用した場合の実施形態について、図面を参照しながら説明する。
【００１２】
まず、本実施形態における携帯端末装置１の全体構成について説明する。図１は、本実施形態における携帯端末装置１の外観を示す正面図である。図２は、本実施形態における携帯端末装置１の外観を示す背面図である。図３は、本実施形態における携帯端末装置１の外観を示す底面図である。
【００１３】
図１から図３に示すように、携帯端末装置１は、本体部となる筐体２を有する。筐体２は、第１筐体２Ａと、第２筐体２Ｂと、を有する。第１筐体２Ａは、ユーザーに対向する側に配置される部材であり、後述するタッチスクリーンディスプレイ３が配置される。第２筐体２Ｂは、手のひら等に対向して配置される部材である。
【００１４】
第１筐体２Ａには、図１に示すように、タッチスクリーンディスプレイ３、着信ランプ４、近接センサー５、及びインカメラ６が配置されている。
【００１５】
タッチスクリーンディスプレイ３は、第１筐体２Ａの正面側に配置されている。タッチスクリーンディスプレイ３は、ディスプレイと、タッチスクリーンとを有する（いずれも不図示）。
【００１６】
ディスプレイは、液晶ディスプレイ、有機ＥＬパネル、又は無機ＥＬパネル等の表示デバイスにより構成される。ディスプレイは、文字及び図形等の画像を表示することができる。ディスプレイは、タッチスクリーンに対して第１筐体２Ａの内側に配置される。
【００１７】
タッチスクリーンは、タッチスクリーンディスプレイ３に対する指、又はスタイラスペン等の接触を検出する。タッチスクリーンは、複数の指、又はスタイラスペン等がタッチスクリーンディスプレイ３に接触した位置及び／又はジェスチャーを検出することができる。タッチスクリーンの検出方式は、静電容量方式、抵抗膜方式、表面弾性波方式（又は超音波方式）、赤外線方式、電磁誘導式、及び荷重検出方式等の任意の方式でよい。なお、本実施形態におけるタッチスクリーンは、自ら振動して音を伝えるレシーバーとしての機能を有する。
【００１８】
着信ランプ４は、電話の着信時、及びメールの受信時に予め設定されたパターンに従って点滅する。また、着信ランプ４は、充電中に所定の色で点灯する。
【００１９】
近接センサー５は、第１筐体２Ａ側における物体の接近を非接触で検出する。近接センサー５は、センサー検出面（不図示）が第１筐体２Ａの正面側に向くように配置されている。近接センサー５により、例えば、通話中において、タッチスクリーンディスプレイ３にユーザーの顔が接近したことが検出される。近接センサー５の位置には、光センサー（不図示）が設けられている。光センサーにおいて周囲の明るさを検出することにより、ディスプレイの明るさを適切に調節することができる。
【００２０】
インカメラ６は、第１筐体２Ａに面している物体を撮影するためのカメラである。インカメラ６は、第１筐体２Ａからレンズ部のみが露出している。
【００２１】
筐体２の幅方向（図中、横方向）において、第１筐体２Ａと第２筐体２Ｂとの接合面となる一方の側面には、電源キー７、及び音量キー８が配置されている。
【００２２】
電源キー７は、電源のオン／オフ、及びスリープモード等の移行／解除の際に操作される。
音量キー８は、通話時の音量を調節する際に操作される。音量キー８を構成する２つのキーのうち、一方のキーを操作すると音量が高くなり、他方のキーを操作すると音量が低くなる。
【００２３】
筐体２の幅方向（図中、横方向）において、第１筐体２Ａと第２筐体２Ｂとの接合面となる他方の側面には、外部接続端子及び外部接続端子カバーが配置されている（不図示）。外部接続端子は、不使用時には、外部接続端子カバーにより覆われている。
【００２４】
第２筐体２Ｂには、図２に示すように、スピーカー９、アンテナ１０、赤外線ポート１１、及びアウトカメラ１２が配置されている。
【００２５】
スピーカー９は、電話の着信音及び各種のアラーム音を外部へ出力する。
アンテナ１０は、テレビの地上波電波等を受信する。アンテナ１０は、テレビを視聴する際に筐体２から引き出されて使用される。
【００２６】
赤外線ポート１１は、赤外線通信によりデータの送受信を行うための端子である。
アウトカメラ１２は、第２筐体２Ｂに面している物体を撮影するためのカメラである。アウトカメラ１２は、第２筐体２Ｂからレンズ部のみが露出している。
【００２７】
図３に示すように、筐体２の底面側において、第１筐体２Ａと第２筐体２Ｂとの接合面には、分解用凹部１３が配置されている。分解用凹部１３は、筐体２を、第１筐体２Ａと第２筐体２Ｂとに分離する際に使用される。ユーザーは、分解用凹部１３に指の爪又は工具を挿入し、第１筐体２Ａに対して第２筐体２Ｂを離間させる方向に力を加えることにより、第１筐体２Ａと第２筐体２Ｂとを分離させることができる。
【００２８】
分解用凹部１３の近傍には、マイク（不図示）が配置されている。マイクは、通話時又は音声の録音時に、ユーザーの発した音声を音声信号に変換する音声入力部である。
【００２９】
次に、携帯端末装置１の内部構造について説明する。図４は、携帯端末装置１から第２筐体２Ｂを取り外した状態を示す背面図である。図５は、携帯端末装置１から第１筐体２Ａを取り外した状態を示す正面図である。
【００３０】
図４及び図５に示すように、第１筐体２Ａと第２筐体２Ｂ（不図示）との間には、中間筐体２０が配置されている。中間筐体２０は、第１筐体２Ａ側となる第１面２１と、第２筐体２Ｂ側となる第２面２２とを有する。中間筐体２０には、バッテリー収納部２３が設けられている。バッテリー収納部２３には、バッテリー１４のほか、メモリーカード及び１Ｃカード（不図示）が収納されている。
【００３１】
中間筐体２０の第２面２２側には、アンテナ１０及びループアンテナ用基板（被給電部材）１５が装着されている。中間筐体２０の第２面２２は、アンテナ１０を収容する溝を有している。アンテナ１０は、この溝から先端を引き出し可能な構造を有している。ループアンテナ用基板１５は、後述するピン挿入部２００を覆って第２面２２に貼り付けられるＦＰＣ（Ｆｌｅｘｉｂｌｅ  Ｐｒｉｎｔｅｄ  Ｃｉｒｃｕｉｔｓ）基板である。ループアンテナ用基板１５には、ループアンテナがプリントされており、ピン挿入部２００に備えられる電気的な接点を介して、バッテリー１４からの電力が供給される。
【００３２】
次に、中間筐体２０におけるピン挿入部２００の構成について説明する。
図６は、ピン挿入部２００及びその周辺に、接点ピン３００、防水両面テープＳ及びループアンテナ用基板１５が設置される状態を示す分解斜視図である。図７は、ピン挿入部２００に接点ピン３００が設置された状態を示す図である。図８は、中間筐体２０におけるピン挿入部２００の構造を示す部分拡大図である。図９は、ピン挿入部２００に接点ピン３００が挿入される途中の状態を示す概略断面図である。図１０は、ピン挿入部２００に接点ピン３００が設置され、ループアンテナ用基板１５が貼り付けられた状態を示す概略断面図である。
【００３３】
図６及び図７に示すように、ピン挿入部２００には、金属製の接点ピン３００が挿入される。ピン挿入部２００に挿入された接点ピン３００によって、第１面２１側と第２面２２側とにおける電気的な接続が可能となる。具体的には、図６から図１０に示すように、ピン挿入部２００に接点ピン３００が挿入されると、第１面２１側に配置される給電部材４００（図１０参照）と、第２面２２側に配置されるループアンテナ用基板１５との電気的な接続が可能となる。
【００３４】
図１０に示すように、ピン挿入部２００に挿入された接点ピン３００とループアンテナ用基板１５とは、導電性接着剤Ｂによって接着される。これにより、接点ピン３００とループアンテナ用基板１５とが電気的に接続される。また、ピン挿入部２００に挿入された接点ピン３００の周囲において、ループアンテナ用基板１５と中間筐体２０の第２面２２とが防水両面テープＳによって貼り付けられる。これにより、ピン挿入部２００の防水機能が実現される。
【００３５】
図８から図１０に示すように、ピン挿入部２００は、貫通穴２０１と、スリット２０２と、薄肉部２０３とを備えている。なお、図９及び図１０においては、貫通穴２０１の中心とスリット２０２の１つとを通り、貫通穴２０１の軸に沿う面でピン挿入部２００を切断した断面の模式図を示している。
貫通穴２０１は、中間筐体２０の第１面２１側と第２面２２側とに亘って中間筐体２０を貫通している。薄肉部２０３は、中間筐体２０における他の部分よりも薄肉化された円弧状の部分である。
貫通穴２０１は、薄肉部２０３の中央部に配置されている。貫通穴２０１に挿入される接点ピン３００は、図９に示すように、円柱状の軸部３０１と、軸部３０１の軸方向の一端に設けられた係合部３０２とを備えている。係合部３０２は、ピン挿入部２００に係合する。軸部３０１の他端には、軸部３０１よりも直径が大きい頂部３０３が設けられている。係合部３０２の先端は、軸部３０１よりも小さい直径を有する円形となっており、先端から離れるほど徐々に直径が大きくなって、係合部３０２の軸部３０１側は軸部３０１よりも大きい直径となっている。
【００３６】
ピン挿入部２００に接点ピン３００が設置される場合、貫通穴２０１内に接点ピン３００の軸部３０１が配置される。貫通穴２０１は、接点ピン３００の軸部３０１の直径と略等しい直径を有している。
【００３７】
スリット２０２は、中間筐体２０の第１面２１から第２面２２に至るまで延びると共に、貫通穴２０１の内周面から貫通穴２０１の半径方向外方へ、薄肉部２０３の外縁まで延びている。スリット２０２は、貫通穴２０１の内周面において、周方向に複数設置される。本実施形態では、スリット２０２は、貫通穴２０１の内周面において、周方向に３箇所、等間隔で設置されている。つまり、３個の薄肉部２０３と３個のスリット２０２とは周方向に交互に配置されており、全体として環状を形成している。スリット２０２の幅については、例えば、貫通穴２０１の直径を２．２ｍｍとした場合に、スリット２０２の周方向の幅を０．９ｍｍとすることができる。
【００３８】
薄肉部２０３の直径は、接点ピン３００の頂部３０３の直径よりも大きい。中間筐体２０において薄肉部２０３と他の部分との肉厚の差は、接点ピン３００の頂部３０３の肉厚と略同一となっている。
ピン挿入部２００に接点ピン３００が設置された後、図１０に示すように、接点ピン３００の頂部３０３には、導電性接着剤Ｂが塗布される。防水両面テープＳによってループアンテナ用基板１５と中間筐体２０の第２面２２とが、薄肉部２０３の周囲において貼り合わせられる。接点ピン３００の頂部３０３に塗布された導電性接着剤Ｂによって、ループアンテナ用基板１５と接点ピン３００とが電気的に接続された状態で接着される。
【００３９】
図１０に示すように、給電部材４００は、板ばね状の金属部材によって構成される。給電部材４００の一端は、不図示の制御回路と接続されており、制御回路を介してバッテリー１４から給電される。給電部材４００の他端には、接点ピン３００を向く面に円錐状の金属部材が配置されている。接点ピン３００における係合部３０２の先端部は、平坦な円形の端面を有している。ピン挿入部２００に設置された接点ピン３００において、係合部３０２の先端に給電部材４００の金属部材が当接することにより、給電部材４００と接点ピン３００とが電気的に接続された状態となる。
【００４０】
接点ピン３００の周囲にスリット２０２が配置されているため、接点ピン３００が圧入されたピン挿入部２００は、防水機能を発現しない。その主な理由は、仮にピン挿入部２００に設置された接点ピン３００が浸水した場合、接点ピン３００の周囲のスリット２０２を通して、浸水した水が、中間筐体２０の第２面２２側から第１面２１側に流入するためである。一方、本実施形態の携帯端末装置１では、中間筐体２０とループアンテナ用基板１５とを接着する防水両面テープＳによって、ピン挿入部２００の防水機能が実現される。
【００４１】
上述した本実施形態の携帯端末装置１によれば、例えば、以下のような効果を奏する。
（１）接点ピン３００がピン挿入部２００に設置された後、ピン挿入部２００の周囲において、防水両面テープＳによって中間筐体２０の第２面２２とループアンテナ用基板１５とが貼り合わされる。これにより、ピン挿入部２００の防水機能が実現される。
このとき、仮に防水両面テープＳによる防水機能が不十分であったとすると、ピン挿入部２００におけるスリット２０２を介して、中間筐体２０の第２面２２側から第１面２１側に浸水する状態となる。
そのため、製品出荷時等において、携帯端末装置１の防水性を試験した場合に、防水両面テープＳによる防水機能が不十分であるにもかかわらず、接点ピン３００がピン挿入部２００に圧入されていることにより、擬似的に防水機能が実現される事態を防ぐことができる。
したがって、本実施形態の携帯端末装置１は、防水機能による防水性の適否を明確に判定できる構造を備えている。
【００４２】
（２）ピン挿入部２００に接点ピン３００が設置される場合、図９に示すように、接点ピン３００の係合部３０２が貫通穴２０１に挿入され、圧入する方向に力が加えられる。
このとき、薄肉部２０３が第２面２２から第１面２１の方向に撓みながら、係合部３０２が貫通穴２０１を通過し、軸部３０１が貫通穴２０１に挿入される。本実施形態におけるピン挿入部２００では、貫通穴２０１の周囲にスリット２０２が備えられているため、スリット２０２が備えられていない場合に比べ、薄肉部２０３が撓み易い構造となっている。
したがって、接点ピン３００をピン挿入部２００に設置する作業が容易になると共に、接点ピン３００の設置時に、中間筐体２０にクラックが生じる事態を防ぐことができる。
【００４３】
（３）貫通穴２０１の内周面において、スリット２０２が周方向に複数設置される。そのため、接点ピン３００の圧入時に、薄肉部２０３に適度な撓みを生じさせることが可能となる。
【００４４】
（４）スリット２０２は、貫通穴２０１の内周面において、等間隔で設置されている。そのため、接点ピン３００の圧入時に、薄肉部２０３に生じる応力を均等に分散させることができる。
【００４５】
（５）ピン挿入部２００にスリット２０２が備えられていることにより、ピン挿入部２００に接点ピン３００が設置された後、スリット２０２を介して、第１面２１側から導電性接着剤Ｂの塗布状態を確認することができる。
したがって、導電性接着剤Ｂの塗布量の適否を目視によって簡単に判定することが可能となる。
【００４６】
本発明は、上述した本実施形態に制限されるものではなく、以下に示すように適宜に変更可能であり、それらも本発明の範囲に含まれる。
【００４７】
本実施形態において、スリット２０２は、貫通穴２０１の内周面に３つ備えられることとしたが、２つ以下あるいは４つ以上を備えることもできる。
本実施形態において、スリット２０２は、貫通穴２０１の内周面に等間隔で備えられるものとしたが、スリット２０２の間隔は異なっていてもよい。
本実施形態において、スリット２０２の周方向の幅が０．９ｍｍである場合を例に挙げたが、より小さい幅又はより大きい幅とすることができる。
【００４８】
本実施形態では、本発明に係る携帯電子機器を携帯端末装置に適用した例について説明した。これに限らず、本発明に係る携帯電子機器は、タブレット端末装置、ＰＤＡ（Ｐｅｒｓｏｎａｌ  Ｄｉｇｉｔａｌ  Ａｓｓｉｓｔａｎｔ）、ポータブルナビゲーション装置等のアンテナを備えた携帯電子機器一般に適用することができる。また、本実施形態では、本発明の防水構造について携帯端末装置に適用した例について説明したが、本発明の防水構造については、電子機器一般に適用することができる。
【符号の説明】
【００４９】
１  携帯端末装置（携帯電子機器）
２  筐体
２Ａ  第１筐体
２Ｂ  第２筐体
１０  アンテナ
１５  ループアンテナ用基板（被給電部材）
２０  中間筐体
２１  第１面
２２  第２面
２０１  貫通穴
２０２  スリット
３００  接点ピン
４００  給電部材
【図１】
2014082641.tif 000003
【図２】
2014082641.tif 000004
【図３】
2014082641.tif 000005
【図４】
2014082641.tif 000006
【図５】
2014082641.tif 000007
【図６】
2014082641.tif 000008
【図７】
2014082641.tif 000009
【図８】
2014082641.tif 000010
【図９】
2014082641.tif 000011
【図１０】
2014082641.tif 000012